(57)【要約】【課題】演出効果を高めることができる照明装置を提供する。【解決手段】照明装置10は、発光面35aを有する複数の発光素子35を備える。複数の発光素子35の発光面35aに対して交差する側面部44を有する透明反射部材23を設ける。透明反射部材23の外側に光学部材25を配置する。光学部材25は、光が透過する光拡散領域50を有するとともに、光拡散領域50の一部に光拡散領域50より光透過率が高い複数の高透過率部51を有する。【選択図】図１
2015022841.tif 000002
【特許請求の範囲】
【請求項１】
発光面を有する複数の発光素子と；
複数の発光素子の発光面に対して交差する側面部を有する透明反射部材と；
透明反射部材の外側に配置され、光が透過する光拡散領域を有するとともに、光拡散領域の一部に光拡散領域より光透過率が高い複数の高透過率部を有する光学部材と；
を具備することを特徴とする照明装置。
【請求項２】
器具本体と；
器具本体に配置され、発光面を有する複数の発光素子を含む光源と；
複数の発光素子の発光面に対して交差する側面部を有する透明反射部材と；
透明反射部材の外側に配置され、光が透過する光拡散領域を有するとともに、光拡散領域の一部に光拡散領域より光透過率が高い複数の高透過率部を有する光学部材と；
を具備することを特徴とする照明装置。
【請求項３】
放熱体と；
放熱体の一端面に配置された発光面を有する複数の発光素子と；
複数の発光素子の発光面に対して交差する側面部を有する透明反射部材と；
透明反射部材の外側に配置され、光が透過する光拡散領域を有するとともに、光拡散領域の一部に光拡散領域より光透過率が高い複数の高透過率部を有する光学部材と；
放熱体の他端に設けられる給電部と；
を具備することを特徴とする照明装置。
【請求項４】
透明反射部材の側面部は、発光素子の発光面に対する角度が９０°±３０°であることを特徴とする請求項１ないし３いずれか一記載の照明装置。
【発明の詳細な説明】
【技術分野】
【０００１】
本発明の実施形態は、発光素子を用いた照明装置に関する。
【背景技術】
【０００２】
従来、例えばシーリングライトやランプなど、複数の発光素子を乳白色の光拡散性を有するセードで覆うようにした照明装置がある。
【０００３】
また、シーリングライトにおいては、セードに複数の輝きを点在させ、星がきらめいて見えるように演出効果を高めたものがある。このシーリングライトでは、透明なセードの内面に光拡散領域が形成されているとともにこの光拡散領域中に複数の透明なドットが形成されており、複数の発光素子からの光が複数の透明なドットからセードを通過することにより、セードに複数の輝きが点在し、星がきらめいているような演出効果を得ている。
【０００４】
このような演出効果は透明なドットを通じて発光素子の発光部が見えることによるため、シーリングライトのように発光素子の数が多い場合にはセードの広い領域で複数の輝きが点在して見えやすい。
【先行技術文献】
【特許文献】
【０００５】
【特許文献１】特開２０１３−３７８５２号公報
【発明の概要】
【発明が解決しようとする課題】
【０００６】
シーリングライトに限らず、各種形態の照明装置においても、演出効果を高めることが望まれている。
【０００７】
照明装置の形態によっては、発光素子の数が限られるためにきらめき感が得られにくかったり、きらめき感が得られる方向が限られてしまう。
【０００８】
本発明が解決しようとする課題は、演出効果を高めることができる照明装置を提供することである。
【課題を解決するための手段】
【０００９】
実施形態の照明装置は、発光面を有する複数の発光素子を備える。複数の発光素子の発光面に対して交差する側面部を有する透明反射部材を設ける。透明反射部材の外側に光学部材を配置する。光学部材は、光が透過する光拡散領域を有するとともに、光拡散領域の一部に光拡散領域より光透過率が高い複数の高透過率部を有する。
【発明の効果】
【００１０】
本発明によれば、きらめき感が得られやすく、きらめき感が得られる方向も広くでき、演出効果を高めることが期待できる。
【図面の簡単な説明】
【００１１】
【図１】第１の実施形態を示す照明装置の断面図である。
【図２】同上照明装置の底面図である。
【図３】同上照明装置の点灯イメージを模式的に示す断面図である。
【図４】第２の実施形態を示す照明装置の断面図である。
【図５】同上照明装置の点灯イメージを模式的に示す断面図である。
【発明を実施するための形態】
【００１２】
以下、第１の実施形態を、図１ないし図３を参照して説明する。
【００１３】
照明装置10は、ペンダント形の照明器具20である。この照明器具20は、器具本体21、この器具本体21の下面に装着される光源22、光源22の周囲を囲んで器具本体21に取り付けられた透明反射部材23、透明反射部材23の外側に配置される透光部材24、および透光部材24の内面に設けられた光学部材25を備えている。
【００１４】
そして、器具本体21は、円盤状に形成され、周面には透明反射部材23および透光部材24を支持する段部27が突出されている。器具本体21の上面中央には器具本体21を吊り下げる電源コード28が引き出され、この電源コード28の上端には天井面に設置されている引掛シーリングボディに装着される引掛シーリングキャップが取り付けられている。
【００１５】
器具本体21の下面には、光源22を着脱可能に装着するソケット29が設けられている。ソケット29の有する一対の端子に電源コード28が電気的に接続されている。
【００１６】
また、光源22は、例えば、フラット形ランプが用いられる。光源22は、円盤状の筐体30を有し、この筐体30の上面にソケット29に対して挿入および回動させることによって着脱可能に装着される例えばＧＸ５３−１形の口金部31が突出形成されている。口金部31にはソケット29の一対の端子に電気的に接続される一対のピン32が突設されている。
【００１７】
筐体30の下面には、発光モジュール33が取り付けられている。発光モジュール33は、基板34、およびこの基板34の実装面34aに実装された複数の発光素子35を備えている。本実施形態では、発光素子35としてＳＭＤパッケージ式のＬＥＤ素子が用いられ、これら複数のＬＥＤ素子が所定の間隔をあけて基板34上に実装されている。そして、発光素子35は、基板34の実装面34aと平行な発光素子35の前面に、例えば円形状の発光面35aを有している。なお、複数の発光素子35の間隔は、近くなりすぎると発光時に１つの発光部として見えてしまうので、発光時に個々の発光素子35が見えることが可能な間隔寸法以上を有することが好ましい。
【００１８】
筐体30の下面には、発光モジュール33を覆って透明なカバー36が取り付けられている。
【００１９】
また、透明反射部材23は、上下に開口する筒部あるいは壁部である筒状の側面部38、およびこの側面部38の上部に取り付けられた上面部39を有している。
【００２０】
側面部38は、基板34の実装面34aおよび発光素子35の発光面35aに対して交差しているが、基板34の実装面34aおよび発光素子35の発光面35aに対して垂直ではなく、すなわち器具中心軸と平行ではなく、上部側より光照射方向の下部側が器具中心軸側に傾斜されている。したがって、側面部38の内側間の開口幅が、上部側より光照射方向の下部側に向けて狭くなるように形成されている。側面部38の下面の最小となる開口幅は、器具本体21および光源22の直径よりも大きく、器具本体21および光源22の通過が可能となっている。
【００２１】
なお、側面部38の角度αが９０°±３０°の範囲であれば、透光部材24を側方や斜め下方から見た際に、透明反射部材23の側面部38に複数の発光素子35の発光面像が映り込みやすい。また、側面部38の傾斜角度に関しては、発光素子35の発光面35a（基板34の実装面34a）に対する角度αが８０°程度であることにより、透光部材24を側方や斜め下方から見た際に、透明反射部材23の側面部38に複数の発光素子35の発光面像が反射して見えやすい。この角度αは８０°に限られず、８０°±１０°の範囲であれば、透光部材24を側方や斜め下方から見た際に、透明反射部材23の側面部38に複数の発光素子35の発光面像が反射して見えやすい。ただし、８０°から離れる角度になるほど側方や斜め下方から見た場合に発光素子35の発光面像が反射して見えにくくなるため、８０°±１０°の範囲が好ましい。
【００２２】
側面部38は、周方向に曲率の大きな４つの湾曲面40を有するとともに、これら湾曲面40間に接続する曲率の小さな４つの接続面41を有している。
【００２３】
側面部38は、例えばポリカーボネート、アクリル、あるいはガラスなどの透明な材料によって形成されている。なお、透明反射部材23の側面部38は、内部透過率および表面（界面）を含めた外部透過率が高く、表面（界面）が光学鏡面からなり、光沢の透過性の高い材料からなるものが望ましい。ただし、透明反射部材23の側面部38は、拡散性が低く、側面部38を介してその先にあるものが透けて見える基材であれば、表面が少々の凹凸が形成されているものであっても構わない。また、側面部38の厚みは、均一であることが好ましく、さらに、側面部38の内面と外面との両方向の面に発光素子35の発光面像が映り込むことから、側面部38の厚みは厚い方がよく、例えば１〜３ｍｍ程度が好ましく、より好ましくは１．５〜２．５ｍｍがよい。
【００２４】
上面部39は、周辺部が側面部38の上端に固定されており、中央に器具本体21の上部側が挿通可能な円形の開口部42が形成されている。開口部42の内径は器具本体21の段部27の外径より小さく、上面部39が段部27上に載置されることで、透明反射部材23が器具本体21に支持される。
【００２５】
上面部39は、側面部38と同じ材料で同じ特性を有していてもよいが、少なくとも光透過性を有していることが好ましい。
【００２６】
また、透光部材24は、セードであり、透明な樹脂やガラスなどの材料によって形成され、円筒状の側面部44、およびこの側面部44の上部に設けられている上面部45を有し、下面が開口されている。
【００２７】
側面部44の外周面下端には装飾のためのプリズム面46が形成されている。
【００２８】
上面部45の中央には器具本体21の上部側が挿通可能な円形の開口部47が形成されている。開口部47の内径は器具本体21の段部27の外径より小さく、上面部45が透明反射部材23を介して段部27上に載置されることで、透光部材24が器具本体21に支持される。
【００２９】
また、光学部材25は、例えば、透明な樹脂製の薄いシート49によって構成されており、透明反射部材23の側面部38と透光部材24の側面部44との間に介在されている。
【００３０】
光学部材25は、シート49の全域に所定の光拡散作用を有する光拡散領域50を有するとともに、この光拡散領域50中に光透過率が光拡散領域50よりも相対的に高い複数の高透過率部51を有している。
【００３１】
光拡散領域50は、シート49の表面にシルクスクリーン印刷などにより形成された白色膜によって構成されている。
【００３２】
高透過率部51は、シート49に光拡散領域50が形成されていない開口部である透明部によって構成され、光拡散領域50の全体にランダムに点在して配置されている。高透過率部51は、直径０．５〜５ｍｍ程度の大きさに形成されている。この高透過率部51が０．５ｍｍより小さいと、この高透過率部51を通り抜ける光線が弱くなってしまったり、高透過率部51を介して視点と側面部38とを結ぶ直線上に側面部38で反射した発光面像が存在する割合が少なくなってしまう。このため、高透過率部51を介して発光素子35がきらきらときらめくような光を得ることが困難となる。一方、高透過率部51が５ｍｍより大きいと、１つの高透過率部51から複数の発光素子35または側面部38に反射した複数の発光面像が存在する虞があるため、きらきら感よりもまぶしさを感じるようになる。したがって、シルクスクリーン印刷が施されない高透過率部51の大きさは、０．７〜２ｍｍ程度が好ましい。
【００３３】
なお、シルクスクリーン印刷が形成されている光拡散領域50の透過率は、４０〜８０％程度であることが望ましい。本実施形態においては、波長３８０〜７８０ｎｍの透過率が６０％程度に形成されている。透過率が４０％より小さいと、直下照度が低く、光束が低下しすぎて照明器具20としての使用が困難となる。逆に、透過率が８０％より大きいと、直下照度が高く、光束も十分であり、発光素子35からの光が効率よく照射面へ照射される。しかし、高透過率部51（発光面輝度）とシルクスクリーン印刷領域である光拡散領域50（背景輝度）との輝度差、照度差が小さくなるため、きらきらと輝くような付加価値効果を満足することができなくなる。
【００３４】
なお、光学部材25は、光拡散領域50を構成する材料で形成されたシート49に、複数の孔をあけて高透過率部51を形成しても構わない。
【００３５】
そして、このように構成された照明器具20において、光源22を点灯させると、複数の発光素子35の発光面35aから出射する光がカバー36を透過して透明反射部材23の内側空間に放射される。透明反射部材23の内側空間に放射された一部の光は、透明反射部材23の下面開口を通じて下方へ照射される。さらに、透明反射部材23の内側空間に放射された一部の光は、透明反射部材23の側面部38を透過し、光学部材25の光拡散領域50で拡散されて透光部材24の側面部44から側方へ照射される。これにより、透光部材24の少なくとも下部側が均一に光っているように見える。
【００３６】
また、透明反射部材23の内側空間に放射された一部の光は、透明反射部材23の側面部38を透過し、光学部材25の複数の高透過率部51を通じて透光部材24の側面部44から側方へ照射される。そして、透光部材24を斜め下方から見て、光学部材25の高透過率部51を介して視点と発光素子35とが直線上に並ぶことにより、光拡散領域50に複数の高透過率部51を透過した光による複数の輝きが点在し、複数のきらめき光として見える演出効果を得ることができる。さらに、見る位置を変化させることで、複数のきらめき光がきらめいて見える演出効果を得ることができる。
【００３７】
また、図３に点灯イメージを模式的に示すように、透明反射部材23を側方から見た場合、透明反射部材23の側面部38に複数の発光素子35の発光面像Ａが映り込んでいるように見える。これは、図１に矢印で光線を示すように、発光素子35からの光が、視点方向に対して反対側となる透明反射部材23の側面部38の内面で反射し、この反射光が視点側の側面部38を透過して見えることによる。そのため、透光部材24を側方から見た場合にも、光学部材25の高透過率部51を介して視点と透明反射部材23の側面部38とを結ぶ直線上に側面部38で反射した発光素子35の発光面像Ａが存在することにより、光拡散領域50に複数の高透過率部51を透過した光による複数の輝きが点在し、複数のきらめき光として見える演出効果を得ることができる。
【００３８】
したがって、透光部材24を斜め下方から側方の広い範囲のいずれの方向から見ても、きらめき感が得られやすくできる。
【００３９】
さらに、透光部材24を見る角度によっては、実際の光源22の複数の発光素子35からの光、および透明反射部材23からの複数の発光素子35の発光面像Ａの反射光の両方により、透光部材24のより広い範囲でより多くのきらめき光が見え、きらめき感がより向上する。
【００４０】
また、側面部38は、基板34の実装面34aおよび発光素子35の発光面35aに対して垂直ではなく、すなわち器具中心軸と平行ではなく、上部側より光照射方向の下部側が器具中心軸側に傾斜されているため、透光部材24を斜め下方から見た際にも、透明反射部材23の側面部38に複数の発光素子35の発光面像Ａが映り込みやすく、きらめき感が得られやすい。
【００４１】
また、側面部38は、周方向に曲率の大きな湾曲面40を有するため、この湾曲面40には複数の発光素子35の発光面像Ａが周方向（横方向）に拡大されて広い範囲に点在しているように映り込み、透光部材24の周方向に広い範囲で、きらめき感が得られやすい。なお、側面部38は、複数の湾曲面40間を接続するために曲率の小さな接続面41を有しているが、この接続面41の方向から見た場合にも、接続面41に複数の発光素子35の発光面35aが映り込むため、きらめき感が得られる。
【００４２】
なお、透明反射部材23の湾曲面40の数が３つの場合には、接続面41の曲率が小さくなりすぎて、この接続面41の影が光拡散領域50に発生しやすくなり、また、湾曲面40が５つ以上の場合には、湾曲面40の周方向の幅寸法が小さくなって、複数の発光素子35の発光面像Ａを周方向に点在させる効果が減少しやすくなる。そのため、透明反射部材23の湾曲面40は本実施形態のように４つであることが好ましい。
【００４３】
ただし、透明反射部材23の周方向の形状は、多角形や円形でも構わない。例えば、大形のペンダントの場合や、複数の発光素子35が広い範囲に点在しているような場合には、透明反射部材23の周方向の形状が多角形や円形でも、透光部材24の広い範囲できらめき感が得られる。
【００４４】
また、光学部材25の光拡散領域50は、透光部材24の内面に例えばシルクスクリーン印刷によって一体的に形成してもよい。この場合、高透過率部51は、シルクスクリーン印刷が施されていない小さなドット状の孔によって構成すればよい。
【００４５】
次に、図４および図５に第２の実施形態を示す。
【００４６】
照明装置10は、電球形のランプ60である。このランプ60は、放熱体61を備え、この放熱体61の一端に、発光モジュール62、透明反射部材63、透光部材64、光学部材65が配設され、放熱体61の他端側に給電部66が配設され、放熱体61と給電部66との内側空間に点灯装置67が配設されている。
【００４７】
そして、放熱体61は、例えば、アルミニウムなどの金属製で、一端側に球形の一部を成す外郭部69が形成され、他端側に給電部66を取り付ける取付部70が形成されている。外郭部69の一端側には透光部材64を取り付けるための縁部71が突設され、この縁部71より内側に発光モジュール62を取り付ける台部72が形成されている。縁部71の内周部には、透光部材64を挿入し回動させることによって係止する複数の係止溝が形成されている。
【００４８】
また、発光モジュール62は、基板74、およびこの基板74の実装面74aに実装された複数の発光素子75を備えている。本実施形態では、発光素子75としてＳＭＤパッケージ式のＬＥＤ素子が用いられ、これら複数のＬＥＤ素子が所定の間隔をあけて基板74上に実装されている。そして、発光素子75は、基板74の実装面74aと平行な発光素子75の前面に、例えば円形状の発光面75aを有している。なお、複数の発光素子75の間隔は、近くなりすぎると発光時に１つの発光部として見えてしまうので、発光時に個々の発光素子75が見えることが可能な間隔寸法以上を有することが好ましい。
【００４９】
基板74は金属製の取付板76の中央部にねじ止め固定され、この取付板76が放熱体61の縁部71の内側に挿入されるとともに取付板76の周辺部が台部72上にねじ止め固定されている。
【００５０】
また、透明反射部材63は、円筒状の側面部78、およびこの側面部78の一端側に設けられた球面状の先端面部79を有し、他端側が開口された略カップ形状に一体形成されている。側面部78の他端側周辺部には、透光部材64の他端側に嵌り込んで係止される複数の爪部80が突設されている。
【００５１】
透明反射部材63は、例えばポリカーボネート、アクリル、あるいはガラスなどの透明な材料によって形成されている。なお、透明反射部材63は、内部透過率および表面（界面）を含めた外部透過率が高く、表面（界面）が光学鏡面からなり、光沢の透過性の高い材料からなるものが望ましい。ただし、透明反射部材63は、拡散性が低く、側面部78を介してその先にあるものが透けて見える基材であれば、表面が少々の凹凸が形成されているものであっても構わない。また、側面部78の厚みは、均一であることが好ましく、さらに、側面部78の内面と外面との両方向の面に発光素子75の発光面像が映り込むことから、側面部78の厚みは厚い方がよく、例えば１〜３ｍｍ程度が好ましく、より好ましくは１．５〜２．５ｍｍがよい。
【００５２】
側面部78は、発光素子75の発光面75a（基板74の実装面74a）に対する角度θが９０°となるように、発光素子75の発光面75aに対して垂直であることにより、側面部78を側方から見た場合に発光素子75の発光面像が映り込みやすい。なお、角度θは９０°に限られず、９０°±３０°の範囲であれば、側面部78を側方から見た場合に発光素子75の発光面像が映り込む。ただし、９０°から離れる角度になるほど側面部78を側方から見た場合に発光素子75の発光面像の映り込みが確認しにくくなるため、９０°±１０°の範囲が好ましい。
【００５３】
また、透光部材64は、一端側が球形に形成されるとともに他端側が開口されたグローブであり、放熱体61の一端側に取り付けられ、放熱体61の外郭部69とともに球形を成すように構成されている。透光部材64は、最大径部で２分割されていて、放熱体61側の第１の透光部品82と先端側の第２の透光部品83とを有している。これら第１の透光部品82と第２の透光部品83とはそれぞれの成形後に例えば超音波溶着によって一体化されている。
【００５４】
透光部材64の他端側には放熱体61の縁部71の内側に嵌り込む取付部84が形成され、この取付部84に、透明反射部材63の爪部80が嵌り込む複数の溝部が形成されているとともに、放熱体61の縁部71の内周部に形成された複数の係止溝に対して挿入し回動させることによって係止する複数の係止爪が形成されている。そして、取付部84を放熱体61の縁部71に取り付けた状態でシリコーン樹脂などによって接着固定されている。
【００５５】
また、光学部材65は、透光部材64の内面に形成されており、光拡散領域86およびこの光拡散領域86中に複数の高透過率部87を有している。
【００５６】
すなわち、透光部材64の内面全域に所定の光透過率で光拡散効果を有する光拡散領域86が形成されている。この光拡散領域86は、透光部材64の内面に例えば白色膜をシルクスクリーン印刷を施すことによって形成されている。
【００５７】
光拡散領域86中に光透過率が光拡散領域86よりも相対的に高い複数の高透過率部87が形成されている。複数の高透過率部87は、例えば光拡散領域86が形成されていないすなわちシルクスクリーン印刷が施されていない小さなドット状の開口によって構成され、複数のドット状の開口が光拡散領域86の全域にランダムに点在して配置されている。高透過率部87は、直径０．５〜５ｍｍ程度の大きさに形成されている。この高透過率部87が０．５ｍｍより小さいと、この高透過率部87を通り抜ける光線が弱くなってしまったり、高透過率部87を介して視点と側面部78とを結ぶ直線上に側面部78で反射した発光面像が存在する割合が少なくなってしまう。このため、高透過率部87を介して発光素子75がきらきらときらめくような光を得ることが困難となる。一方、高透過率部87が５ｍｍより大きいと、１つの高透過率部87から複数の発光素子35または側面部78に反射した複数の発光面像が存在する虞があるため、きらきら感よりもまぶしさを感じるようになる。したがって、シルクスクリーン印刷が施されない高透過率部87の大きさは、０．７〜２ｍｍ程度が好ましい。
【００５８】
なお、シルクスクリーン印刷が形成されている光拡散領域86の透過率は、４０〜８０％程度であることが望ましい。本実施形態においては、波長３８０〜７８０ｎｍの透過率が６０％程度に形成されている。透過率が４０％より小さいと、直下照度が低く、光束が低下しすぎてランプ60としての使用が困難となる。逆に、透過率が８０％より大きいと、直下照度が高く、光束も十分であり、発光素子75からの光が効率よく照射面へ照射される。しかし、高透過率部87（発光面輝度）とシルクスクリーン印刷領域である光拡散領域86（背景輝度）との輝度差、照度差が小さくなるため、きらきらと輝くような付加価値効果を満足することができなくなる。
【００５９】
なお、透光部材64の各透光部品82，83は、各透光部品82，83の板素材の面にシルクスクリーン印刷を施した後に、板素材を各透光部品82，83の形状に成形することによって形成されている。
【００６０】
また、給電部66は、ソケットにねじ込み接続するＥ形の口金であり、放熱体61の取付部70に絶縁部材を介して取り付けられるシェル89、およびこのシェル89の他端側に設けられたアイレット90を有している。
【００６１】
また、点灯装置67は、給電部66から供給される交流電力を所定の直流電力に変換して発光モジュール62の発光素子75に供給する。
【００６２】
そして、このように構成されたランプ60において、ソケットに接続されたランプ60に交流電源が供給されることにより、点灯装置67によって複数の発光素子75に直流電力を供給し、複数の発光素子75が点灯する。
【００６３】
複数の発光素子75の発光面75aから出射される光は、透明反射部材63を透過し、光学部材65の光拡散領域86で拡散されて透光部材64を透過して外部へ照射される。これにより、透光部材64が均一に光っているように見える。
【００６４】
また、透明反射部材63を透過した光の一部は、光学部材65の複数の高透過率部87を通じて透光部材64から外部へ照射される。そして、透光部材64を見て、光学部材65の高透過率部87を介して視点と発光素子75とが直線上に並ぶことにより、光拡散領域86に複数の高透過率部87を透過した光による複数の輝きが点在し、複数のきらめき光として見える演出効果を得ることができる。さらに、見る位置を変化させることで、複数のきらめき光がきらめいて見える演出効果を得ることができる。
【００６５】
また、図５に点灯イメージを模式的に示すように、透明反射部材63を側方から見た場合、透明反射部材63の側面部78に複数の発光素子75の発光面像Ａが映り込んで見える。しかも、透明反射部材63が側面部78とともに球面状の先端面部79を備えていることで、透明反射部材63にはランプ軸方向に沿って複数個所に複数の発光面像Ａが映り込んでいるように見える。これは、図４に矢印で光線を示すように、発光素子75からの光が、視点方向に対して反対側となる透明反射部材63の側面部78の内面で反射し、この反射光が視点側の側面部78を透過して見えることによる。そのため、透光部材64を側方から見た場合にも、光学部材65の高透過率部87を介して視点と透明反射部材63の側面部78とを結ぶ直線上に側面部78で反射した発光素子75の発光面像Ａが存在することにより、光拡散領域86に複数の高透過率部87を透過した光による複数の輝きが点在し、複数のきらめき光として見える演出効果を得ることができる。
【００６６】
したがって、透光部材64を側方から先端方向にかけての広い範囲のいずれの方向から見ても、きらめき感が得られやすくできる。
【００６７】
さらに、透光部材64を見る角度によっては、実際の複数の発光素子75からの光、および透明反射部材63からの複数の発光素子75の発光面像Ａの反射光の両方により、透光部材64のより広い範囲でより多くのきらめき光が見え、きらめき感がより向上する。
【００６８】
また、透明反射部材63の側面部78は、発光素子75の発光面75a（基板74の実装面74a）に対する角度θが９０°となるように、発光素子75の発光面75aに対して垂直であるため、側面部78を側方から見た場合に、発光素子75の発光面像Ａが映り込みやすく、きらめき感が得られやすい。
【００６９】
また、透明反射部材63は、側面部78とともに球面状の先端面部79を備えており、仮に、先端面部79が無く、開口していた場合には、側面部78の開口のエッジ部分が光学部材65の光拡散領域86に影となって映り込むが、先端面部79を備えることにより、影の映り込みを防止できる。
【００７０】
なお、光学部材65は、透光部材64の内面にシルクスクリーン印刷によって一体的に形成する場合に限らず、光拡散領域86および複数の高透過率部87を有するシートなどを用い、このシートを透明反射部材63と透光部材64との間に介在してもよい。
【００７１】
また、ランプとしては、Ｅ形口金を用いるランプに限らず、例えば、第１の実施形態の光源22のようにＧＸ５３−１形口金を用いたランプに適用することもできる。
【００７２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７３】
10    照明装置
21    器具本体
22    光源
23    透明反射部材
25    光学部材
35    発光素子
35a   発光面
38    側面部
50    光拡散領域
51    高透過率部
61    放熱体
63    透明反射部材
65    光学部材
66    給電部
75    発光素子
75a   発光面
78    側面部
86    光拡散領域
87    高透過率部
【図１】
2015022841.tif 000003
【図２】
2015022841.tif 000004
【図３】
2015022841.tif 000005
【図４】
2015022841.tif 000006
【図５】
2015022841.tif 000007